(57)【要約】【課題】交換レンズのマウント部に適切な弾性部材を設ける。【解決手段】カメラボディに装着される交換レンズは、前記カメラボディのボディ側マウントと嵌合するレンズ側マウントと、前記レンズ側マウントの外周側に設けられ、前記交換レンズが前記カメラボディに装着された際に前記ボディ側マウントの外周面に接触して前記レンズ側マウントの径方向に変形可能な弾性部材と、を備え、前記弾性部材は、前記交換レンズが前記カメラボディに装着された状態で前記レンズ側マウントより前記カメラボディに向かって突出する突出部を有し、前記突出部は、前記交換レンズの光軸を中心とする円筒状であり、前記レンズ側マウントからの突出量が大きいほどその内径が大きくなる形状である。【選択図】図３
2019124762.tif 000002
【特許請求の範囲】
【請求項１】
カメラボディに装着される交換レンズであって、
前記カメラボディのボディ側マウントと嵌合するレンズ側マウントと、
前記レンズ側マウントの外周側に設けられ、前記交換レンズが前記カメラボディに装着された際に前記ボディ側マウントの外周面に接触して前記レンズ側マウントの径方向に変形可能な弾性部材と、
を備え、
前記弾性部材は、前記交換レンズが前記カメラボディに装着された状態で前記レンズ側マウントより前記カメラボディに向かって突出する突出部を有し、
前記突出部は、前記交換レンズの光軸を中心とする円筒状であり、前記レンズ側マウントからの突出量が大きいほどその内径が大きくなる形状である交換レンズ。
【請求項２】
請求項１に記載の交換レンズにおいて、
前記弾性部材は、前記レンズ側マウントからの突出量が大きいほどその外径が小さくなる形状である交換レンズ。
【請求項３】
請求項１または２に記載の交換レンズにおいて、
前記突出部の内周面の第１範囲は、球面または平面の一方で構成され、
前記突出部の内周面の第２範囲は、球面または平面の他方で構成され、
前記第１範囲と前記第２範囲とは、前記光軸に沿った方向に並んで配置される交換レンズ。
【請求項４】
請求項１または２に記載の交換レンズにおいて、
前記突出部の内周面の第１範囲は、球面または平面で構成され、
前記突出部の内周面の第２範囲は、前記第１範囲の球面とは前記内周面の内径の変化率が異なる球面、または前記第１範囲の平面とは前記光軸に対する傾斜角が異なる平面で構成され、
前記第１範囲と前記第２範囲とは、前記光軸に沿った方向に並んで配置される交換レンズ。
【請求項５】
請求項４に記載の交換レンズにおいて、
前記第２範囲は、前記第１範囲より前記レンズ側マウントからの突出量が大きい位置に配置されており、
前記第２範囲の内径の変化率は、前記第１範囲の内径の変化率より大きい、または、
前記第２範囲の傾斜角は、前記第１範囲の傾斜角より大きい交換レンズ。
【請求項６】
請求項３から５までのいずれか一項に記載の交換レンズにおいて、
前記レンズ側マウントは、前記ボディ側マウントのボディ側嵌合部の内周面と外周面が嵌合するレンズ側嵌合部を有し、
前記光軸に沿った方向において、前記第１範囲と前記第２範囲との境界が、前記レンズ側嵌合部と前記ボディ側嵌合部との嵌合領域の端部と略一致する交換レンズ。
【請求項７】
請求項１から６までのいずれか一項に記載の交換レンズにおいて、
前記弾性部材の外周に設けられ、レンズ鏡筒の一部を構成する筒体を備え、
前記弾性部材は、外周面において前記径方向の外側へ突出した第１突部を有し、前記第１突部は前記筒体の内周面に接する交換レンズ。
【請求項８】
請求項７に記載の交換レンズにおいて、
前記弾性部材の前記第１突部は、前記光軸に沿った方向の略中央部に設けられる交換レンズ。
【請求項９】
請求項１から８までのいずれか一項に記載の交換レンズにおいて、
前記弾性部材は、前記突出部とは反対側の他端部において、径方向の内側へ突出した第２突部を有し、
前記第２突部の内径は、前記レンズ側マウントの外径より小さい交換レンズ。
【請求項１０】
請求項９に記載の交換レンズにおいて、
前記第２突部は前記光軸を中心とする環状であり、
前記光軸に沿った方向において、前記弾性部材の内周面は略Ｌ字形状である交換レンズ。
【発明の詳細な説明】
【技術分野】
【０００１】
本発明は、交換レンズに関する。
【背景技術】
【０００２】
カメラボディに着脱可能な交換レンズにおいて、マウント部に設けられた防水ゴムが知られている（特許文献１）。従来技術では、防水ゴムの形状に改善の余地があった。
【先行技術文献】
【特許文献】
【０００３】
【特許文献１】特開２００３−１５０１０号公報
【発明の概要】
【０００４】
発明の一態様による交換レンズは、カメラボディに装着される交換レンズであって、前記カメラボディのボディ側マウントと嵌合するレンズ側マウントと、前記レンズ側マウントの外周側に設けられ、前記交換レンズが前記カメラボディに装着された際に前記ボディ側マウントの外周面に接触して前記レンズ側マウントの径方向に変形可能な弾性部材と、を備え、前記弾性部材は、前記交換レンズが前記カメラボディに装着された状態で前記レンズ側マウントより前記カメラボディに向かって突出する突出部を有し、前記突出部は、前記交換レンズの光軸を中心とする円筒状であり、前記レンズ側マウントからの突出量が大きいほどその内径が大きくなる形状である。
【図面の簡単な説明】
【０００５】
【図１】交換レンズを例示する斜視図である。
【図２】図１の破線で囲む位置の断面を説明する図である。
【図３】図２の弾性部材の近傍を拡大した図である。
【図４】（ａ）はレンズ側マウントとボディ側マウントとの関係を説明する図、（ｂ）は（ａ）の円ＩＶｂ内の拡大図である。
【図５】レンズ側マウントとボディ側マウントとの関係を説明する図である。
【図６】変形例１による弾性部材を説明する図である。
【発明を実施するための形態】
【０００６】
以下、図面を参照して発明を実施するための形態について説明する。
図１は、一実施の形態による交換レンズ３を例示する斜視図、図２は、図１において破線Ａで囲む位置の断面を説明する図である。
交換レンズ３は、いわゆるバヨネット式のレンズマウント機構を備え、光軸Ｏを中心とする円筒状のボディマウント機構を備えるカメラボディに対して着脱可能に構成されている。
本実施の形態では、交換レンズ３の光軸Ｏに沿った方向（以降、光軸Ｏ方向と称する）における被写体側を前方、光軸Ｏ方向におけるカメラボディ側を後方と称する。また、交換レンズ３の径方向において光軸Ｏから遠い方を外側（外周側）、光軸Ｏに近い方を内側（内周側）と称する。
【０００７】
図１において、交換レンズ３の周面は外側筒１０で覆われている。交換レンズ３の後方には、円筒状のレンズ側マウント２０と、レンズ側マウント２０の外周側に設けられた円筒状の弾性部材３０とが設けられている。弾性部材３０は、後に詳述するように、交換レンズ３とカメラボディとの結合部における水密性を確保する機能を有する。
【０００８】
円筒状のレンズ側マウント２０は、光軸Ｏと直交する平面視が円環状の基準面２３を有している。この基準面２３は、交換レンズ３が不図示のカメラボディに装着された場合に、ボディ側マウントの基準面１２３（図５）と当接する。
【０００９】
レンズ側マウント２０は、交換レンズ３の後方側にビス２７を用いてビス止めされている。図２も参照すると、レンズ側マウント２０は、外側筒１０の内部に配置されている円筒形状の固定部材（以下で固定筒とも称する）１５に対してビス２７により固定される。図１の例では、円環状の基準面２３において、光軸Ｏ周りに略１２０度間隔の３箇所でビス止めされている。
【００１０】
図２も参照して説明すると、レンズ側マウント２０は、円環状の基準面２３が形成され、固定部材１５への取り付け部となるフランジ部２０Ａと、フランジ部２０Ａの内周側で後方側に延在する突部２４とを有する。突部２４は、外周面がカメラボディマウントと嵌合する嵌合部２２（大径部）と、嵌合部２２（大径部）よりも小径であって所定長さを有する円筒形状の小径部（２４）と、小径部（２４）の後方端に設けられたレンズ側爪部２５とを有する。嵌合部２２（大径部）は、フランジ部２０Ａの内径側において光軸Ｏ方向に所定幅Ｗを有する。突部２４は、基準面２３よりも後方に位置するマウントの一部を構成する。交換レンズ３がカメラボディ（不図示）に装着されると、突部２４の後方端はカメラボディ内に進入する。
【００１１】
レンズ側爪部２５はそれぞれ、突部２４の後端側においてレンズ側マウント２０の径方向の外側に向かって突設され、光軸Ｏに対して略直交する方向に延在する。すなわち、突部２４の後方端には、外径方向に突出する複数のレンズ側爪部２５が互いに周方向に所定の間隔をおいて所定の周長で設けられている。本実施の形態では、例えば３つのレンズ側爪部２５が設けられている。
なお、レンズ側爪部２５の数は３つに限られず、４以上であってもよい。
【００１２】
図２において、外側筒１０の内側に、レンズ鏡筒の一部を構成する固定筒１５が設けられている。固定筒１５に対し、円筒状のレンズ側マウント２０が環状のスペーサ１７を介して、ビス２７（図１）を用いて固定される。スペーサ１７は、省略されても構わない。
【００１３】
レンズ側マウント２０のフランジ部２０Ａの外周面は、円筒状の弾性部材３０により覆われている。弾性部材３０は、例えばゴム等で構成され、弾性変形が可能である。本実施の形態では、弾性部材３０のうちレンズ側マウント２０の基準面２３よりも光軸Ｏ方向の後方へ突出した部分である突出部Ｃにおいて、後に詳述するような弾性変形が生じる。
【００１４】
図１を参照して説明したように、レンズ側マウント２０の円筒形状の突部２４は、フランジ２０Ａの内周側から光軸Ｏ方向の後方に延設されている。より正確に説明すると、レンズ側マウント２０の内周側から大径部である嵌合部２２が後方に延設され、さらに大径部（嵌合部２２）の後方に大径部よりも小さな外径を有する小径部（２４）が延設される。小径部（２４）の後方端側にレンズ側爪部２５が形成されている。嵌合部２２は、後述するボディ側マウント１２０（図４、図５）の嵌合部１２２と嵌合する。
【００１５】
レンズ側爪部２５は、上述したようにレンズマウント２０の後方端、換言すると、突部２４の光軸Ｏ方向の後方端に設けられている。光軸Ｏを中心とした円周方向に複数のレンズ側爪部２５が互いに間隔をあけて設けられているため、突部２４の後方端には、レンズ側爪部２５が配置される領域（位置）と配置されない領域（位置）とが交互に存在する。
【００１６】
＜内周面の突出部＞
図３は、図２の弾性部材３０の近傍を拡大した図である。円筒状の弾性部材３０の内周面には、光軸Ｏ方向における前方端に、径方向内側に突出した突出部３６が設けられている。突出部３６の内径は、レンズ側マウント２０の外径よりも小さい。すなわち、突出部３６の内径は、弾性部材３０のうちレンズ側マウント２０の外周面を覆う部分の内径よりも小さい。このように、弾性部材３０の片断面形状はＬ字形状である。
なお、突出部３６は、必ずしも弾性部材３０の内周面に環状に形成されていなくてもよく、弾性部材３０の内周に沿って一部が省略（例えば切り込み部を有する）されていてもよい。
【００１７】
弾性部材３０の片断面をＬ字形状に構成したことにより、レンズ側マウント２０が固定筒１５に固定された状態では、弾性部材３０が後方に引っ張られたとしても突出部３６がレンズ側マウント２０に引っかかる。この結果、弾性部材３０が後方へ抜けて交換レンズ３から外れることを防止できる。
【００１８】
なお、図３において、レンズ側マウント２０の前方端の外周縁部２１には、例えば研磨等によって面取り加工を施して角部が除去されている。外周縁部２１が面取りされていない場合、固定筒１５に対してスペーサ１７および弾性部材３０を先入れした後、レンズ側マウント２０を後方側から固定筒１５にビス止めする際に、レンズ側マウント２０の前方端の角部によって弾性部材３０の突出部３６を光軸Ｏ方向に押し潰してしまう。面取り加工された外周縁部２１を設けることにより、このような突出部３６の潰れが防止され、交換レンズ３の組立時の作業性が向上する。
【００１９】
＜外周面の突出部＞
弾性部材３０の外周面には、弾性部材３０の光軸Ｏ方向の長さＬ１の略中央に相当する位置に、径方向外側に突出した突出部３５が設けられている。突出部３５の外径は、弾性部材３０の他の部分の外径よりも大きい。
なお、突出部３５の光軸Ｏ方向の位置は、弾性部材３０によって覆われているレンズ側マウント２０の外周面の光軸Ｏ方向の長さＬ２の略中央に相当する位置であってもよい。
【００２０】
レンズ側マウント２０が固定筒１５に固定された状態では、弾性部材３０の突出部３５が固定筒１５の内周面に接するとともに、弾性部材３０の内周面がレンズ側マウント２０の外周面と接する。また、弾性部材３０の突出部３６がスペーサ１７に接する。このように構成したので、弾性部材３０は、レンズ側マウント２０、スペーサ１７および固定筒１５により挟持されてその位置が安定する。さらに、固定筒１５と弾性部材３０との隙間から固定筒１５内に浸入した水等が、突出部３５よりも前方へ浸入することが防止される。
なお、レンズ側マウント２０と弾性部材３０との間に他の部材を介在させてもよい。すなわち、レンズ側マウント２０の外周に別の部材を設け、その部材の外側に弾性部材３０を設けてもよい。
【００２１】
＜後方の突出部＞
次に、弾性部材３０の突出部Ｃの形状について説明する。図３において、突出部Ｃの後方端３１は、例えば、突出部Ｃの外周面と内周面とをつなぐ曲面形状を有する。本実施の形態では、後方端３１の形状として曲面形状を例示するが、必ずしも曲面形状でなくてもよい。例えば、突出部Ｃの外周面と内周面とをつなぐ尖った形状で後方端３１を構成してもよいし、突出部Ｃの外周面と内周面とをつなぐ平面によって後方端３１を構成してもよい。平面によって後方端３１を構成する場合は、光軸Ｏと直交する平面と平行な面であってもよい。
【００２２】
レンズ側マウント２０の基準面２３より後方に露出する突出部Ｃの内周面には、光軸Ｏ方向の前方側の第１範囲に第１傾斜面３３が、光軸Ｏ方向の後方側の第２範囲に第２傾斜面３２が、それぞれ設けられる。第１傾斜面３３の前方側の位置（傾斜開始位置）Ｓ１は、レンズ側マウント２０の基準面２３より後方にある。この理由は、レンズ側マウント２０の外周面と弾性部材３０との間に空隙が生じるのを避けるためである。
【００２３】
第１傾斜面３３および第２傾斜面３２の径は、ともに弾性部材３０の突出部Ｃにおいて、前方から後方に向かって徐々に大きくなる。光軸Ｏ方向の単位長さ当たりの内径の変化量を傾斜角と称する場合、内径の変化量が小さい傾斜面は光軸Ｏに対する傾斜角が小さく、内径の変化量が大きい傾斜面は光軸Ｏに対する傾斜角が大きい。本実施の形態では、後方の第２傾斜面３２の傾斜角は、前方の第１傾斜面３３の傾斜角より大きい。
【００２４】
第１傾斜面３３と第２傾斜面３２との境界（図３において点Ｑで示す）は、レンズ側マウント２０の基準面２３から後方に距離Ｗの位置である。すなわち、突出部Ｃの内周面には、レンズ側マウント２０の基準面２３から距離Ｗまでの間に第１傾斜面３３を配置し、距離Ｗよりも後方に第２傾斜面３２を配置する。
【００２５】
基準面２３から距離Ｗの位置Ｑを境に傾斜角が異なる第１傾斜面３３と第２傾斜面３２とを配置する理由は、交換レンズ３が不図示のカメラボディに装着される際に、交換レンズ３とカメラボディとの結合部に突出部Ｃが巻きこまれることを防止するためである。
第２傾斜面３２の後方側は、上記後方端３１へ滑らかにつながる。
【００２６】
交換レンズ３の後方に露出する弾性部材３０の外周面には、傾斜面３４が設けられる。図３の例ではレンズ側マウント２０の基準面２３の位置から後方側に所定範囲にわたって傾斜面３４が形成されている。したがって、実施形態の交換レンズの前方側の傾斜開始位置Ｓ２は、レンズ側マウント２０の基準面２３の位置である。傾斜開始位置Ｓ２は、基準面２３に対して光軸Ｏ方向に前後していてもよい。
【００２７】
傾斜面３４は、弾性部材３０の突出部Ｃにおける外径が、前方から後方に向かって徐々に小さく変化する形状である。光軸Ｏ方向の単位長さ当たりの外径の変化量を傾斜角と称する場合、本実施の形態では、突出部Ｃにおいて外周面の傾斜面３４の傾斜角は一様である。この理由は、後方端３１に向かって突出部Ｃを先細形状に構成することによって、突出部Ｃを掴む場合に滑りやすくするためである。突出部Ｃが掴みにくいと、突出部Ｃが掴まれて弾性部材３０が後方へ引っ張られることを防止できる。
傾斜面３４の後方側は、上記後方端３１へつながる。
【００２８】
＜弾性部材３０の弾性変形＞
交換レンズ３が不図示のカメラボディに装着される場合に生じる弾性部材３０の変形について説明する。図４および図５は、交換レンズ３のレンズ側マウント２０とカメラボディ１３０のボディ側マウント１２０との関係を説明する図である。
【００２９】
図４（ｂ）は、図４（ａ）の円ＩＶｂ内の拡大図である。図４（ｂ）に示すように、レンズ側マウント２０の嵌合部２２の外周面の後方端が面取り加工され、面取り部２２Ｍが形成されている。同様に、ボディ側マウント１２０の嵌合部１２２の内周面の前方端が面取り加工され、面取り部１２２Ｍが形成されている。
【００３０】
ユーザーは、交換レンズ３の外側筒１０の外周面に付された指標（不図示）とカメラボディ１３０の外装面に付された指標（不図示）との位置を合わせ、レンズ側マウント２０とボディ側マウント１２０とを対向させて、交換レンズ３のレンズ側爪部２５（図１、図２の突部２４）を、円筒状のボディ側マウント１２０の内側（すなわちカメラボディ１３０内）へ進入させる。
【００３１】
図４（ｂ）を参照すると、レンズ側マウント２０の嵌合部２２がボディ側マウント１２０の嵌合部１２２と嵌合する際、点Ｐにおいて双方が接触してから嵌合を始める。本実施の形態では、光軸Ｏ方向においてレンズ側マウント２０の基準面２３から点Ｐまでの距離Ｗを、図３のレンズ側マウント２０の基準面２３から点Ｑまでの距離Ｗに対応させている。換言すると、レンズ側マウント２０の嵌合部２２とボディ側マウント１２０の嵌合部１２２とが嵌合を始める位置Ｐと、弾性部材３０の突出部Ｃの内周面における第１傾斜面３３と第２傾斜面３２との境界の位置Ｑ（図３）とは、ともにレンズ側マウント２０の基準面２３から距離Ｗの位置にある。
【００３２】
この理由は以下の通りである。レンズ側嵌合部２２とボディ側嵌合部１２２とが嵌合領域の端部（点Ｐ）で嵌合を開始する前は、交換レンズ３の位置がカメラボディ１３０に対して径方向にずれるおそれがある。そこで、ボディ側マウント１２０と接触する可能性がある弾性部材３０の第２傾斜面３２の光軸Ｏに対する傾斜角を大きくすることにより、弾性部材３０の突出部Ｃが交換レンズ３とカメラボディ１３０との結合部（レンズ側マウント２０の基準面２３とボディ側マウント１２０の基準面１２３との間）に巻きこまれにくくする。
一方、レンズ側嵌合部２２とボディ側嵌合部１２２とが点Ｐで嵌合を開始した後は、ボディ側マウント１２０によって交換レンズ３の位置がガイドされるので、交換レンズ３の位置がカメラボディ１３０に対して径方向にずれるおそれがない。そのため、点Ｐで嵌合を開始した後にボディ側マウント１２０と接触する可能性がある弾性部材３０の第１傾斜面３３の光軸Ｏに対する傾斜角を小さくすることにより、弾性部材３０の突出部Ｃを径方向に弾性変形させる。
【００３３】
ユーザーが交換レンズ３をカメラボディ１３０（すなわちボディ側マウント１２０）に対して押圧しながら光軸Ｏを中心に装着方向に回転させる。レンズ側マウント２０は、その嵌合部２２がボディ側マウント１２０の嵌合部１２２に嵌合して光軸Ｏ方向の後方へ移動する。そして図５に示すように、レンズ側マウント２０の基準面２３がボディ側マウント１２０の基準面１２３に当接してレンズ側マウント２０の移動が止まる。
レンズ側マウント２０の嵌合部２２とボディ側マウント１２０の嵌合部１２２とが嵌合する光軸Ｏ方向の範囲を嵌合領域と称すると、上記点Ｐは嵌合領域の一端、すなわち、交換レンズ３の後端側の一端に対応する。
【００３４】
弾性部材３０の突出部Ｃの内周面の内径のうち、図３の第１傾斜面３３と第２傾斜面３２との境界（点Ｑ）の内径は、図４（ａ）に示すように、ボディ側マウント１２０の外周面１２６の外径と略等しく構成される。そして、突出部Ｃにおける前方の第１傾斜面３３の内径は、光軸方向のどの位置であっても、ボディ側マウント１２０の外周面１２６の外径よりも小さく構成され、突出部Ｃにおける後方の第２傾斜面３２の内径は、光軸方向のどの位置であっても、ボディ側マウント１２０の外周面１２６の外径よりも大きく構成されている。このように構成したので、図４（ａ）の状態（嵌合開始状態）から図５の状態（嵌合状態）へ移行する過程で、弾性部材３０の突出部Ｃの内周面の第１傾斜面３３が、ボディ側マウント１２０の外周面１２６と接触する。このため、弾性部材３０の突出部Ｃは径方向に押圧される。
【００３５】
弾性部材３０の突出部Ｃがボディ側マウント１２０の外周面１２６で押圧されることにより、交換レンズ３とカメラボディ１３０との結合部（レンズ側マウント２０の基準面２３とボディ側マウント１２０の基準面１２３との接合部）における水密性が確保される。このため、高い防塵、防滴性能が得られる。
【００３６】
本実施の形態では、弾性部材３０の突出部Ｃの内周面（第１傾斜面３３）とボディ側マウント１２０の外周面１２６との接触は、略線接触である。略線接触とは、線接触といえるほど接触面積が小さいことをいう。
弾性部材３０とボディ側マウント１２０の外周面１２６との接触面積を小さくするメリットは、交換レンズ３を着脱する場合における回転時の接触抵抗を小さく抑えられる点である。接触抵抗が大きいと、着脱時にユーザーが交換レンズ３を光軸Ｏ周りに回転させるときの負荷が大きくなり、操作性が悪くなる。しかしながら、接触抵抗が小さければ、着脱時のユーザーの回転負荷が抑えられ、操作性を良くすることができる。
【００３７】
図４（ａ）の状態から図５の状態へ移行するにつれて、弾性部材３０の突出部Ｃは、径方向の外側（矢印の向き）へ弾性変形するが、光軸Ｏ方向には変形しない。このように構成したので、弾性変形した弾性部材３０は、ボディ側マウント１２０の外周面１２６を外側から押す力を発生するだけで、ボディ側マウント１２０の基準面１２３を光軸Ｏ方向の後方へ押す力を発生しない。
【００３８】
また、本実施の形態では、弾性部材３０の突出部Ｃの先端部３１がカメラボディの前面と接触しない。このため、図５の径方向の外側（矢印の向き）へ弾性変形した突出部Ｃの外周面とボディ側マウント１２０の外周面１２６との段差は、例えば１ミリ程度である。段差が小さいので、弾性部材３０の変形が外観を損なうことがない。
仮に、弾性部材３０の突出部Ｃの先端部３１がカメラボディの前面と接触する構造にすると、弾性部材３０の突出部Ｃが光軸Ｏ方向に弾性変形することとなる。この場合は、光軸Ｏ方向に弾性変形した突出部Ｃの外周面とボディ側マウント１２０の外周面１２６との段差が例えば１．３ミリ程度にまで大きくなる。段差が大きいと、外観を損なうデメリットが生じてしまう。さらに、光軸Ｏ方向に弾性変形した弾性部材３０がボディ側マウント１２０の基準面１２３を光軸Ｏ方向の後方へ押す力を発生する、というデメリットも生じてしまう。
【００３９】
上記デメリットのうち、弾性部材３０が上記ボディ側マウント１２０の基準面１２３を光軸Ｏ方向の後方へ押す力を発生するデメリットについて詳述する。図５の例では、交換レンズ３をカメラボディ（すなわちボディ側マウント１２０）に対して回転させ、レンズ側爪部２５よりも前方の空間にボディ側マウント１２０のボディ側爪部１２５が入り込む。このとき、レンズ側爪部２５は、ボディ側爪部１２５に設けられている光軸Ｏに沿う後方向に交換レンズ３を付勢する不図示の板バネを押圧する。ここで、バヨネット式のレンズマウント機構における板バネは公知であるため、板バネについての説明は省略する。板バネの形状や材質は、レンズ側爪部２５に対して所定の付勢力を発生するものであればよい。
【００４０】
レンズ側爪部２５は、接触した上記板バネによって、ボディ側爪部１２５から離れる方向（光軸Ｏ方向の後方）に付勢される被付勢部としての機能も有している。このため、レンズ側爪部２５がボディ側爪部１２５の板バネ（不図示）と接触すると、レンズ側爪部２５は上記板バネから光軸Ｏに沿って後方に押し付けられる。このように構成したことにより、上記板バネの付勢力によってレンズ側マウント２０がボディ側マウント１２０に向かって押し付けられ、レンズ側マウント２０の基準面２３とボディ側マウント１２０の基準面１２３とが密着する。この結果、交換レンズ３とカメラボディとの装着が安定する。
【００４１】
ところが、弾性部材３０が発する上記デメリットの力は、ボディ側マウント１２０の基準面１２３を光軸Ｏ方向の後方へ押すため、上記板バネの付勢力に抗する向きに作用することになる。すなわち、弾性部材３０が発する力が交換レンズ３とカメラボディとの装着の安定性を害してしまう。
しかしながら、本実施の形態では、弾性部材３０が光軸方向よりも径方向に変形するようにしたので、弾性変形しても上記デメリットの力、換言すると、上記板バネの付勢力に抗する向きには小さい力だけが発生する。その結果、弾性部材３０の反発力が交換レンズ３とカメラボディとの装着安定性を損なうことがない。
【００４２】
以上説明した実施の形態によれば、以下の作用効果を奏する。
（１）交換レンズ３は、カメラボディ１３０のボディ側マウント１２０と嵌合するレンズ側マウント２０と、レンズ側マウント２０の外周側に設けられ、交換レンズ３がカメラボディ１３０に装着された際にボディ側マウント１２０の外周面１２６に接触してレンズ側マウント２０の径方向に変形可能な弾性部材３０とを備える。弾性部材３０は、交換レンズ３がカメラボディ１３０に装着された状態でレンズ側マウント２０の基準面２３よりカメラボディ１３０に向かって交換レンズ３の光軸Ｏ方向の後方に突出する突出部Ｃを有する。突出部Ｃは、交換レンズ３の光軸Ｏを中心とする円筒状であり、レンズ側マウント２０の基準面２３から離れるほど内径が大きくなる。
このように構成したので、交換レンズ３とカメラボディ１３０との結合部における水密性を確保することができる。さらに、レンズ側マウント２０の基準面２３から離れるほど突出部Ｃの内径を大きくしたことにより、交換レンズ３がカメラボディ１３０に対して光軸方向のどの位置にあっても、弾性部材３０の突出部Ｃの内周面（第１傾斜面３３）と、ボディ側マウント１２０の外周面１２６との接触面積を小さくすることができる。また、弾性部材３０を径方向に変形させることにより、弾性変形した弾性部材３０が上述した板バネの付勢力に抗する向きの大きな力が発生せず、交換レンズ３とカメラボディ１３０との装着安定性を損なわない。
【００４３】
（２）弾性部材３０は、レンズ側マウント２０の基準面２３から離れるほど外径が小さくなるように構成したので、突出部Ｃを掴みにくくなり、弾性部材３０が後方へ引っ張られることを防止できる。
【００４４】
（３）突出部Ｃの内周面の第１範囲は第１傾斜面３３で構成され、突出部Ｃの内周面の第２範囲は第１範囲の第１傾斜面３３とは光軸Ｏに対する傾斜角が異なる第２傾斜面３２で構成される。さらに、第１範囲と第２範囲とは、光軸Ｏに沿った方向に並んで配置される。傾斜角を段階的に変化させたので、交換レンズ３がカメラボディ１３０に装着される際に、交換レンズ３とカメラボディ１３０との結合部に弾性部材３０の突出部Ｃが巻きこまれることを防止できる。
【００４５】
（４）突出部Ｃの第２範囲は、突出部Ｃの第１範囲よりレンズ側マウント２０の基準面２３から離れた位置に配置されており、また、第２範囲の傾斜角は第１範囲の傾斜角より大きい。このように構成したので、突出部Ｃの第２範囲の第２傾斜面３２によって交換レンズ３とカメラボディ１３０との結合部に弾性部材３０の突出部Ｃが巻きこまれることを防止するとともに、突出部Ｃの第１範囲の第１傾斜面３３によって弾性部材３０の突出部Ｃをボディ側マウント１２０の外周面１２６と適切に接触させることができる。
【００４６】
（５）レンズ側マウント２０は、ボディ側マウント１２０のボディ側嵌合部１２２の内周面と外周面が嵌合するレンズ側嵌合部２２を有し、光軸Ｏに沿った方向において、第１範囲と第２範囲との境界（点Ｑ）が、レンズ側嵌合部２２とボディ側嵌合部１２２との嵌合領域の端部（点Ｐ）と略一致する。このように構成したので、交換レンズ３をカメラボディ１３０に装着する際に図４（ａ）の状態から図５の状態へ移行する過程で、弾性部材３０の突出部Ｃの第１範囲の第１傾斜面３３を、ボディ側マウント１２０の外周面１２６と適切に接触させることができる。
【００４７】
（６）交換レンズ３は固定筒１５を備える。固定筒１５は、弾性部材３０の外周に設けられ、レンズ鏡筒の一部を構成する。そして、弾性部材３０は、外周面において径方向の外側へ突出した突出部３５を有し、この突出部３５は固定筒１５の内周面に接する。このように構成したので、固定筒１５と弾性部材３０との隙間から固定筒１５内に進入した水等が、突出部３５よりも光軸Ｏ方向の前方へ浸入することを防止できる。
【００４８】
（７）弾性部材３０の突出部３５は、光軸Ｏに沿った方向の略中央部に設けたので、突出部３５が光軸Ｏに沿った方向の前方または後方に位置する場合に比べて、弾性部材３０の突出部Ｃの第１範囲の第１傾斜面３３を、ボディ側マウント１２０の外周面１２６と適切に接触させることができる。
【００４９】
（８）弾性部材３０は、突出部Ｃとは反対側の他端部（光軸Ｏ方向の前方）において、径方向の内側へ突出した突出部３６を有する。この突出部３６の内径をレンズ側マウント２０の外径より小さく構成したので、弾性部材３０が光軸Ｏ方向の後方に引っ張られたとしても突出部３６がレンズ側マウント２０に引っかかる。このため、弾性部材３０が後方へ抜けて交換レンズ３から外れることを防止できる。
【００５０】
（９）突出部３６は、光軸Ｏを中心とする環状に構成し、光軸Ｏに沿った方向の片断面形状として、弾性部材３０を略Ｌ字形状に構成する。このように構成したので、弾性部材３０が後方に引っ張られたとしても突出部３６がレンズ側マウント２０に引っかかる。このため、弾性部材３０が後方へ抜けて交換レンズ３から外れることを防止できる。
【００５１】
弾性部材３０は、その外周面に突出部３５を一つ設け、内周面に突出部３６を一つ設けた。これにより、例えば金型等を用いて弾性部材３０を成形する際の型抜き作業を容易にすることができる。一つの面に２以上の突部を形成する場合、型から成型品を無理やり抜く必要があり、弾性部材が変形する原因となる。
【００５２】
次のような変形も可能であり、一つもしくは複数の変形例を上述の実施形態と組み合わせることも可能である。
【００５３】
（変形例１）
上述した実施の形態では、図３に例示したように、弾性部材３０の内周面うち、レンズ側マウント２０の基準面２３より後方に露出する突出部Ｃの内周面に、第１傾斜面３３と第２傾斜面３２とを設ける例を説明した。この代わりに、第１傾斜面３３と第２傾斜面３２とのうちの一方の傾斜面を曲面に代えて構成してもよい。また、第１傾斜面３３および第２傾斜面３２の双方をそれぞれ曲面に代えて構成してもよい。曲面とは、第１傾斜面３３および第２傾斜面３２のように内径の変化量が一様な傾斜面でなく、内径の変化量が前方から後方に向かってなだらかに変化する面をいう。
【００５４】
図６は、変形例１による弾性部材３０Ａの断面の一例を説明する図である。図６において、図３と同様の構成には図３と同一符号を付して説明を省略する。弾性部材３０Ａは、その内周面うち、レンズ側マウント２０の基準面２３（図３）より後方（図６において右方）に露出する突出部Ｃの内周面に、第１曲面３３Ａと第２曲面３２Ａとを有する。
【００５５】
突出部Ｃの内周面のうち、光軸Ｏ方向（図３）の前方側（図６において左方）の第１範囲に第１曲面３３Ａが、後方側の第２範囲に第２曲面３２Ａが、それぞれ設けられる。第１曲面３３Ａおよび第２曲面３２Ａは、ともに弾性部材３０Ａの突出部Ｃにおける内径が、前方から後方に向かって徐々に大きく変化する。光軸Ｏ方向の内径の変化率が小さい曲面は内径の変化が小さく、光軸Ｏ方向の内径の変化率が大きい曲面は内径の変化が大きい。図６の例では、後方の第２曲面３２Ａの内径の変化率は、前方側の第１曲面３３Ａの内径の変化率より大きい。
【００５６】
第１曲面３３Ａと第２曲面３２Ａとの境界（図６において点Ｑで示す）は、レンズ側マウント２０の基準面２３（図３）から後方に距離Ｗの位置である。すなわち、突出部Ｃの内周面には、レンズ側マウント２０の基準面２３から距離Ｗまでの間に第１曲面３３Ａを配置し、距離Ｗよりも後方に第２曲面３２Ａを配置する。
【００５７】
距離Ｗの位置を境に内径の変化率が異なる第１曲面３３Ａと第２曲面３２Ａとを配置する理由は、上記実施の形態と同様に、交換レンズ３が不図示のカメラボディに装着される際に、交換レンズ３とカメラボディとの結合部に弾性部材３０Ａの突出部Ｃが巻きこまれることを防止するためである。
なお、第２曲面３２Ａの後方側は、後方端３１へつながる。また、突出部Ｃの外周面に傾斜面３４が設けられる点は、上記実施の形態（図３）と同様である。
【００５８】
（変形例２）
上記実施の形態では、環状の弾性部材３０の内周面に設ける突出部の一例として、光軸Ｏ方向における前方端に、径方向内側に突出した突出部３６を設けた。突出部３６を前方端に設ける代わりに、変形例２においては、前方端から光軸Ｏ方向の後方へ移動した位置に突出部３６を設ける。ただし、位置を移動した突出部３６が、レンズ側マウント２０に引っかかるように構成する。
また、突出部３６は、必ずしも弾性部材３０の内周面において環状に形成されていなくてもよく、弾性部材３０の内周に沿って一部が省略（例えば切り込み部を有する）されていてもよい点は、上記実施の形態と同様である。
【００５９】
変形例２の構成によれば、弾性部材３０の内周面に突出部３６を構成したことにより、レンズ側マウント２０が固定筒１５に固定された状態では、弾性部材３０が後方に引っ張られたとしても突出部３６がレンズ側マウント２０に引っかかる。この結果、弾性部材３０が後方へ抜けて交換レンズ３から外れることを防止できる。
変形例２の構成においても、弾性部材３０の内周面に設けた突出部３６が一つだけであるので、例えば金型等を用いて弾性部材３０を成形する際の型抜き作業を容易にすることができる。
【００６０】
（変形例３）
上述した実施の形態では、交換レンズ３を例に挙げて説明したが、交換レンズ３以外のアクセサリであって弾性部材３０あるいは弾性部材３０Ａを備えるアクセサリに本発明を適用してもよい。アクセサリは、例えば、カメラボディと交換レンズ３との間に装着され、交換レンズ３の焦点距離を変更するテレコンバーターやワイドコンバーター、接写リングなどでもよい。
【００６１】
また、アクセサリは、上述した交換レンズ３とカメラボディとの間のマウント規格が異なる場合に、マウント規格を整合して装着可能にするマウントアダプターであってもよい。その場合、ボディ側マウント１２０、ボディ側爪部１２５などは、それぞれアクセサリのアクセサリ側マウント、アクセサリ側爪部などに相当する。
【００６２】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００６３】
３…交換レンズ
２０…レンズ側マウント
２２、１２２…嵌合部
２３、１２３…基準面
２４…円筒部
２５…レンズ側爪部
３０、３０Ａ…弾性部材
３１…後方端
３２…第２傾斜面
３２Ａ…第２曲面
３３…第１傾斜面
３３Ａ…第１曲面
３５、３６、Ｃ…突出部
１２０…ボディ側マウント
１２５…ボディ側爪部
１２６…外周面
Ｏ…光軸
【図１】
2019124762.tif 000003
【図２】
2019124762.tif 000004
【図３】
2019124762.tif 000005
【図４】
2019124762.tif 000006
【図５】
2019124762.tif 000007
【図６】
2019124762.tif 000008